(57)【要約】  本発明は表示画面、表示画面を有する携帯端末、及び複数の携帯端末で構成されたモジュラ端末装置を提供する。モジュラ端末装置は、共に接合された複数の携帯端末を含む。表示画面は、本体に接続されたハード表示画面と、ハード表示画面に接続されたフレキシブル表示画面とを含む。フレキシブル表示画面は本体から突出する。フレキシブル表示画面は、第１フレキシブル表示画面と第２フレキシブル表示画面とを含む。第１フレキシブル表示画面と第２フレキシブル表示画面との間には第１折り線が形成されている。フレキシブル表示画面は、第１折り線に沿って折り畳み可能である。本発明の表示画面は、使用時に使用要求に応じて展開することができ、使用しないときに折り畳むことができる。
2019535026.tif 000002
【特許請求の範囲】
【請求項１】
表示画面であって、前記表示画面は、ハード表示画面と、前記ハード表示画面に接続されたフレキシブル表示画面とを含み、前記フレキシブル表示画面は、前記ハード表示画面に接続された第１フレキシブル表示画面と、前記第１フレキシブル表示画面に接続された第２フレキシブル表示画面とを含み、前記第１フレキシブル表示画面と前記第２フレキシブル表示画面との間には第１折り線が形成され、前記フレキシブル表示画面は第１折り線に沿って折り畳み可能である、ことを特徴とする表示画面。
【請求項２】
前記第１フレキシブル表示画面の長さは、前記第２フレキシブル表示画面の長さに等しい、ことを特徴とする請求項１に記載の表示画面。
【請求項３】
前記表示画面は、７４ｍｍの幅及び２１０ｍｍの長さを有し、前記フレキシブル表示画面の全長は１６０ｍｍであり、前記第１折り線と前記第２フレキシブル表示画面の自由端との間の距離は８０ｍｍである、ことを特徴とする請求項１に記載の表示画面。
【請求項４】
前記第２フレキシブル表示画面の長さは、前記第１フレキシブル表示画面の長さと前記ハード表示画面の長さとの合計に等しい、ことを特徴とする請求項１に記載の表示画面。
【請求項５】
前記表示画面は、７４ｍｍの幅及び２１０ｍｍの長さを有し、前記フレキシブル表示画面の全長は１３０ｍｍであり、前記第１折り線と前記第２フレキシブル表示画面の自由端との間の距離は１０５ｍｍである、ことを特徴とする請求項１に記載の表示画面。
【請求項６】
前記第１フレキシブル表示画面は、前記ハード表示画面に接続された第１サブ画面と、前記第１サブ画面及び前記第２フレキシブル表示画面に接続された第２サブ画面とを含み、前記第１サブ画面と前記第２サブ画面との間には第２折り線が形成され、前記第１フレキシブル表示画面は第２折り線に沿って折り畳み可能である、ことを特徴とする請求項１に記載の表示画面。
【請求項７】
前記第１フレキシブル表示画面の長さは、前記第２フレキシブル表示画面の長さに等しく、前記第２フレキシブル表示画面の長さと前記第２サブ画面の長さとの合計は、前記第１サブ画面の長さと前記ハード表示画面の長さとの合計に等しい、ことを特徴とする請求項６に記載の表示画面。
【請求項８】
携帯端末であって、本体を含み、前記本体の前面には表示画面が設けられ、前記表示画面は、前記本体に接続されたハード表示画面と、前記ハード表示画面に接続されたフレキシブル表示画面とを含み、前記ハード表示画面は、前記本体の真上に位置し、前記フレキシブル表示画面は前記本体から突出し、前記フレキシブル表示画面は、前記ハード表示画面に接続された第１フレキシブル表示画面と、前記第１フレキシブル表示画面に接続された第２フレキシブル表示画面とを含み、前記第１フレキシブル表示画面と前記第２フレキシブル表示画面との間には第１折り線が形成され、前記フレキシブル表示画面は第１折り線に沿って折り畳み可能である、ことを特徴とする携帯端末。
【請求項９】
前記携帯端末は、制御ユニットと感知ユニットとを更に含み、前記感知ユニットは、前記第１フレキシブル表示画面と前記第２フレキシブル表示画面との間の角度を感知するためのものであり、前記制御ユニットは、前記感知ユニットによって感知された前記第１フレキシブル表示画面と前記第２フレキシブル表示画面との間の角度変化に応じて、前記第２フレキシブル表示画面の透明度を変化させるためのものである、ことを特徴とする請求項８に記載の携帯端末。
【請求項１０】
前記フレキシブル表示画面は、ポリマー分散液晶層を含み、前記制御ユニットは、前記ポリマー分散液晶層に加えられる電気信号を制御することによって、前記フレキシブル表示画面の透明度を変化させる、ことを特徴とする請求項９に記載の携帯端末。
【請求項１１】
前記制御ユニットは、前記第１フレキシブル表示画面と前記第２フレキシブル表示画面との間の角度が角度プリセット値より小さい場合、反転画像を表示するように前記第２フレキシブル表示画面を制御するように構成される、ことを特徴とする請求項９に記載の携帯端末。
【請求項１２】
前記フレキシブル表示画面の前面及び裏面にはタッチ感知層が設けられ、前記制御ユニットは、前記フレキシブル表示画面の透明度に基づいて、前記フレキシブル表示画面の前記裏面のタッチ感知層を起動し、前記タッチ感知層に加えられたジェスチャ入力に基づいて前記フレキシブル表示画面を起動するように構成される、ことを特徴とする請求項９に記載の携帯端末。
【請求項１３】
前記制御ユニットは、頻繁に使用される操作キー及び大画面表示を必要としない機能のページを表示するように前記ハード表示画面を制御し、大画面表示を必要とする機能のページを表示するように前記フレキシブル表示画面を制御するように構成される、ことを特徴とする請求項９に記載の携帯端末。
【請求項１４】
前記第１フレキシブル表示画面の長さは、前記第２フレキシブル表示画面の長さに等しい、ことを特徴とする請求項８に記載の携帯端末。
【請求項１５】
前記第２フレキシブル表示画面の長さは、前記第１フレキシブル表示画面の長さと前記ハード表示画面の長さとの合計に等しい、ことを特徴とする請求項８に記載の携帯端末。
【請求項１６】
前記第１フレキシブル表示画面は、前記ハード表示画面に接続された第１サブ画面と、前記第１サブ画面及び前記第２フレキシブル表示画面に接続された第２サブ画面とを含み、前記第１サブ画面と前記第２サブ画面との間には第２折り線が形成され、前記第１フレキシブル表示画面は第２折り線に沿って折り畳み可能である、ことを特徴とする請求項９に記載の携帯端末。
【請求項１７】
前記第１フレキシブル表示画面の長さは、前記第２フレキシブル表示画面の長さに等しく、前記第２フレキシブル表示画面の長さと前記第２サブ画面の長さとの合計は、前記第１サブ画面の長さと前記ハード表示画面の長さとの合計に等しい、ことを特徴とする請求項１６に記載の携帯端末。
【請求項１８】
前記制御ユニットはさらに、前記第１サブ画面と前記第２サブ画面との間の角度変化に基づいて、前記第２サブ画面及び前記第２フレキシブル表示画面の透明度を制御するように構成される、ことを特徴とする請求項１７に記載の携帯端末。
【請求項１９】
前記携帯端末の対向する両側には、互いに協働することができる第１接合電源及びデータインターフェースと、第２接合電源及びデータインターフェースとが設けられる、ことを特徴とする請求項８に記載の携帯端末。
【請求項２０】
複数の携帯端末が共に接合されたモジュラ端末装置であって、前記携帯端末は請求項８に記載の携帯端末である、ことを特徴とするモジュラ端末装置。
【発明の詳細な説明】
【技術分野】
【０００１】
＜関連出願の相互参照＞
本願は、２０１６年１１月９日に出願された第２０１６１０９８６４６６．２号の中国特許出願に基づくものであり、その優先権を主張する。上記出願の全開示は、参照により本明細書に組み込まれ、本明細書の一部をなす。
【０００２】
本発明は、電子装置の分野に関し、特に、表示画面、表示画面を有する携帯端末、及び複数の携帯端末で構成されたモジュラ端末装置に関する。
【背景技術】
【０００３】
持ち運びの利便性を考慮すると、携帯電話などの携帯端末の画面は一般的にあまり大きくなく、主流の画面サイズは５〜６インチである。ウェブ、電子文書などをブラウズする必要があるとき、携帯電話に表示されるフォントが小さすぎるため、ユーザーは読むのに不便を感じることがあるので、携帯電話は一般的に事務用の第一候補としてではなく、ユーザーは一般に、関連する電子文書を編集及びブラウズするために、大きいサイズのタブレットパソコン又はラップトップを持ち運ぶ必要がある。
【０００４】
少数のユーザーが一緒に電話会議に参加する必要があり、携帯電話の画面が小さすぎるためにコンピュータ又はテレビが必要になる場合もある。車や特定の場所にコンピュータ又はテレビがない場合、それは非常に不便になる。
【０００５】
さらに、古い携帯電話や廃電話は、近年深刻な汚染問題を引き起こす可能性がある。一般的に、古い廃携帯電話は、単にバッテリ容量が小さいか又は構成が遅れているため放棄されるが、画面は一般的にまだ良好である。従って、古い廃携帯電話の画面の使い方は、現在解決されるべき問題となっている。
【発明の概要】
【発明が解決しようとする課題】
【０００６】
出願人は、中国特許出願ＣＮ２０１５１００３６１８８．Ｘ、ＣＮ２０１５１００５０１２３．０及びＣＮ２０１５１００７５０４７．９など、上記の問題の幾つかを解決するための幾つかの特許を出願した。しかしながら、この技術における画面は狭くて、持ち運びが容易ではなく、実際の使用において何らかの不都合をもたらす可能性があるため、持ち運びに便利で画面のサイズを拡大することが容易なモバイル機器を提供する必要がある。
【課題を解決するための手段】
【０００７】
従って、本発明は表示画面、表示画面を有する携帯端末、及び複数の携帯端末で構成されたモジュラ端末装置を提供する。本発明の表示画面は、使用時に使用要求に応じて展開することができ、使用しないときには折り畳むことができる。さらに、必要に応じて複数の携帯端末を共に接合してモジュラ端末装置を形成してもよい。従って、大画面サイズのニーズが満たされ、また携帯端末は持ち運びが容易である。
【０００８】
本発明による表示画面は、ハード表示画面と、ハード表示画面に接続されたフレキシブル表示画面とを含む。フレキシブル表示画面は、ハード表示画面に接続された第１フレキシブル表示画面と、第１フレキシブル表示画面に接続された第２フレキシブル表示画面とを含む。第１フレキシブル表示画面と第２フレキシブル表示画面との間には第１折り線が形成されている。フレキシブル表示画面は、第１折り線に沿って折り畳み可能である。
【０００９】
本発明による携帯端末は本体を含む。本体の前面には表示画面が設けられる。表示画面は、  本体に接続されたハード表示画面と、ハード表示画面に接続されたフレキシブル表示画面とを含む。ハード表示画面は、本体の真上に位置する。フレキシブル表示画面は本体から突出する。フレキシブル表示画面は、ハード表示画面に接続された第１フレキシブル表示画面と、第１フレキシブル表示画面に接続された第２フレキシブル表示画面とを含む。第１フレキシブル表示画面と第２フレキシブル表示画面との間には第１折り線が形成されている。フレキシブル表示画面は、第１折り線に沿って折り畳み可能である。
【００１０】
本発明によるモジュラ端末装置は、共に接合された複数の上記携帯端末を含む。
【００１１】
さらに、携帯端末は、制御ユニットと感知ユニットとを更に含む。感知ユニットは、第１フレキシブル表示画面と第２フレキシブル表示画面との間の角度を感知するためのものである。制御ユニットは、感知ユニットによって感知された第１フレキシブル表示画面と第２フレキシブル表示画面との間の角度変化に応じて、第２フレキシブル表示画面の透明度を変化させるためのものである。
【００１２】
さらに、フレキシブル表示画面はポリマー分散液晶層を含む。制御ユニットは、ポリマー分散液晶層に加えられる電気信号を制御することによって、フレキシブル表示画面の透明度を変化させる。
【００１３】
さらに、制御ユニットは、第１フレキシブル表示画面と第２フレキシブル表示画面との間の角度が角度プリセット値より小さい場合、反転画像を表示するように第２フレキシブル表示画面を制御するように構成される。
【００１４】
さらに、フレキシブル表示画面の前面及び裏面にはタッチ感知層が設けられる。制御ユニットは、フレキシブル表示画面の透明度に基づいて、フレキシブル表示画面の裏面のタッチ感知層を起動し、タッチ感知層に加えられたジェスチャ入力に基づいて、フレキシブル表示画面を起動するように構成される。
【００１５】
さらに、制御ユニットは、頻繁に使用される操作キー及び大画面表示を必要としない機能のページを表示するようにハード表示画面を制御し、大画面表示を必要とする機能のページを表示するようにフレキシブル表示画面を制御するように構成される。
【００１６】
さらに、第１フレキシブル表示画面の長さは、第２フレキシブル表示画面の長さに等しい。
【００１７】
表示画面は、７４ｍｍの幅及び２１０ｍｍの長さを有する。フレキシブル表示画面の全長は１６０ｍｍである。第１折り線と第２フレキシブル表示画面の自由端との間の距離は８０ｍｍである。
【００１８】
さらに、第２フレキシブル表示画面の長さは、第１フレキシブル表示画面の長さとハード表示画面の長さとの合計に等しい。
【００１９】
表示画面は、７４ｍｍの幅及び２１０ｍｍの長さを有する。フレキシブル表示画面の全長は１３０ｍｍである。第１折り線と第２フレキシブル表示画面の自由端との間の距離は１０５ｍｍである。
【００２０】
さらに、第１フレキシブル表示画面は、ハード表示画面に接続された第１サブ画面と、第１サブ画面及び第２フレキシブル表示画面に接続された第２サブ画面とを含む。第１サブ画面と第２サブ画面との間には第２折り線が形成される。第１フレキシブル表示画面は、第２折り線に沿って折り畳み可能である。
【００２１】
さらに、第１フレキシブル表示画面の長さは、第２フレキシブル表示画面の長さに等しい。第２フレキシブル表示画面の長さと第２サブ画面の長さとの合計は、第１サブ画面の長さとハード表示画面の長さとの合計に等しい。
【００２２】
さらに、制御ユニットはさらに、第１サブ画面と第２サブ画面との間の角度変化に基づいて、第２サブ画面及び第２フレキシブル表示画面の透明度を制御するように構成される。
【００２３】
さらに、携帯端末の対向する両側には、互いに協働することができる第１接合電源及びデータインターフェースと、第２接合電源及びデータインターフェースとが設けられる。
【００２４】
本発明の携帯端末及びモジュラ端末装置において、表示画面は、使用時に使用要求に応じて展開することができ、使用しないときに折り畳むことができる。さらに、必要に応じて複数の携帯端末を共に接合してモジュラ端末装置を形成してもよい。従って、大画面サイズのニーズが満たされ、また携帯端末は持ち運びが容易である。
【００２５】
上記説明は、単に本発明の技術的解決策の概要に過ぎない。本発明の技術的手段をより明確に理解し本発明の内容に従って実施することができるために、且つ、本発明の上記及び他の目的、特徴及び利点をより明白にするために、以下の詳細な説明は、以下に詳細に説明される添付の図面を参照して行われる。
【図面の簡単な説明】
【００２６】
【図１】本発明の第１実施形態に係る携帯端末のシステムブロック図である。
【図２】本発明の第１実施形態に係る携帯端末の模式的構造図である。
【図３】画像を表示する図１の携帯端末の第１実施形態の模式図である。
【図４】画像を表示する図１の携帯端末の第２実施形態の模式図である。
【図５】画像を表示する図１の携帯端末の第３実施形態の模式図である。
【図６】画像を表示する図１の携帯端末の第４実施形態の模式図である。
【図７】画像を表示する図１の携帯端末の第５実施形態の模式図である。
【図８】本発明の第２実施形態に係る携帯端末の模式的構造図である。
【図９】本発明の第３実施形態に係る携帯端末の模式的構造図である。
【図１０】本発明の第４実施形態に係る携帯端末の模式的構造図である。
【図１１】第１実施形態の４つの携帯端末を共に接合した模式図である。
【図１２】第２実施形態の４つの携帯端末を共に接合した模式図である。
【図１３】本発明の一実施形態において使用され得る例示的なコンピュータシステムを示す図である。
【発明を実施するための形態】
【００２７】
本発明の意図する目的を達成するための本発明の技術的手段及び効果をさらに明らかにするために、以下の添付図面及び好ましい実施形態を参照しながら本発明をより詳細に説明する。
【００２８】
＜第１実施形態＞
図１は、本発明の第１実施形態に係る携帯端末のシステムブロック図である。本発明の携帯端末は、携帯電話、タブレットコンピュータなどであってもよい。以下、携帯電話を携帯端末として本発明を説明する。図１に示すように、本発明の携帯端末は、本体と、制御ユニットと、感知ユニットとを含む。
【００２９】
図２は、図１に示す携帯端末の模式的構造図である。図２に示すように、本体は、通常、プラスチック又は金属などの材料で形成された矩形のハウジングであり、本体は携帯端末の基本ベースを構成する。表示画面１０は、本体の前側に設けられる。表示画面１０は、本体に接続されたハード表示画面１１と、ハード表示画面１１に接続されたフレキシブル表示画面１２とを含む。本発明において、ハード表示画面１１は、いわゆるハードスクリーンを意味する。ハード表示画面１１とフレキシブル表示画面１２とはシームレスに接続される。すなわち、携帯端末が黒画面状態であるとき、ハード表示画面１１とフレキシブル表示画面１２との間には明確な境界線が見られない。ハード表示画面１１は本体の真上に位置し、その携帯端末の厚さ方向への投影は本体と完全に一致する。フレキシブル表示画面１２は、携帯端末の幅又は長さ方向に本体から突出する。図１は、フレキシブル表示画面１２が携帯端末の幅方向に携帯端末から突出する本体を示す。
【００３０】
フレキシブル表示画面１２は、ハード表示画面１１に接続された第１フレキシブル表示画面１２１と、第１フレキシブル表示画面１２１に接続された第２フレキシブル表示画面１２２とを含む。第１フレキシブル表示画面１２１と第２フレキシブル表示画面１２２との間には第１折り線１２３が形成される。第１折り線１２３は、フレキシブル表示画面１２を第１フレキシブル表示画面１２１と第２フレキシブル表示画面１２２に分割する。第１フレキシブル表示画面１２１と第２フレキシブル表示画面１２２は、長さが等しい。表示画面１０は携帯端末の幅方向に配置されるため、表示画面１０の長さは、携帯端末の幅方向における表示画面１０の長さである。第１折り線１２３は、第２フレキシブル表示画面１２２の自由端から一定距離の位置にある。本実施形態では、表示画面１０の幅は７４ｍｍであることが好ましく、長さは２１０ｍｍであることが好ましく、フレキシブル表示画面１２の全長は１６０ｍｍであることが好ましく、第１折り線１２３と第２フレキシブル表示画面１２２の自由端との距離は８０ｍｍであることが好ましい。すなわち、第１フレキシブル表示画面１２１及び第２フレキシブル表示画面１２２の長さはいずれも８０ｍｍである。フレキシブル表示画面１２は、第１フレキシブル表示画面１２１と第２フレキシブル表示画面１２２との間の角度を変化させるように、第１折り線１２３に沿って折り畳まれてもよい。本実施形態では、フレキシブル表示画面１２が第１折り線１２３に沿って折り畳まれるとき、フレキシブル表示画面１２はハード表示画面１１を覆わない。
【００３１】
フレキシブル表示画面１２は、ハウジングを有するように構成されてもよい。フレキシブル表示画面１２はハウジングの前面に配置される。フレキシブル表示画面１２の特性を考慮すると、フレキシブル表示画面１２のハウジングは、外力の下でフレキシブル表示画面１２とともに変形可能であるように構成されてもよい。本発明において、フレキシブル表示画面１２のハウジングは、プラスチック、薄いガラス、繊維、薄い金属（例えば、アルミニウムなど）、織物、及びシリコン、又はそれらの組み合わせなどの材料で作製されてもよい。
【００３２】
フレキシブル表示画面１２は、典型的には、２つの極限位置状態、すなわち、完全展開状態と完全折り畳み状態とを有する。フレキシブル表示画面１２が完全展開状態にある場合、フレキシブル表示画面１２の画像表示表面全体は略平坦面を構成し、この状態では、第１フレキシブル表示画面１２１と第２フレキシブル表示画面１２２との間の角度は１８０°であると考えることができる。フレキシブル表示画面１２が完全折り畳み状態にある場合、第２フレキシブル表示画面１２２は、第１フレキシブル表示画面１２１の上方に位置し、第１フレキシブル表示画面１２１の画像表示表面は、第２フレキシブル表示画面１２２の画像表示表面に実質的に接着される。この状態では、第１フレキシブル表示画面１２１と第２フレキシブル表示画面１２２との間の角度は０°であると考えることができる。第１フレキシブル表示画面１２１と第２フレキシブル表示画面１２２との間の角度が角度プリセット値（例えば、９０°）より大きく１８０°以下である場合、フレキシブル表示画面１２は、展開状態にあると考えられる。第１フレキシブル表示画面１２１と第２フレキシブル表示画面１２２との間の角度が角度プリセット値より小さく０°以上である場合、フレキシブル表示画面１２は、折り畳み状態にあると考えられる。
【００３３】
感知ユニットは、変形感知ユニットを含むように構成される。変形感知ユニットは、フレキシブル表示画面１２の変形情報を感知するための変形センサを含んでもよいが、本発明はこれに限定されない。変形センサは、フレキシブル表示画面１２に設けられてもよい。変形感知ユニットは、フレキシブル表示画面１２、特に第１折り線１２３の周りの変形情報を感知することによって、第１フレキシブル表示画面１２１と第２フレキシブル表示画面１２２とを間の角度を感知するために使用される。それにより、制御ユニットは、第１フレキシブル表示画面１２１と第２フレキシブル表示画面１２２との間の角度に応じて、第２フレキシブル表示画面１２２の透明度及びその表示画像の表示状態を制御する。具体的には、制御ユニットは、変形感知ユニットによって感知された情報と、システムに内蔵された第１フレキシブル表示画面１２１と第２フレキシブル表示画面１２２との間の角度プリセット値とを比較し、比較結果に応じて、第２フレキシブル表示画面１２２の透明度及びその表示画像の表示状態を調整してもよい。
【００３４】
例えば、第１フレキシブル表示画面１２１と第２フレキシブル表示画面１２２との間の角度が徐々に減少し、角度プリセット値９０°まで減少する場合、制御ユニットは、比較結果に応じて第２フレキシブル表示画面１２２の透明度を増加させ始める。例えば、第１フレキシブル表示画面１２１と第２フレキシブル表示画面１２２との間の角度が９０°である場合、制御ユニットは、第２フレキシブル表示画面１２２の透明度を１０％に増加させ、第２フレキシブル表示画面１２２によって表示される画像を反転画像になるように制御する。第１フレキシブル表示画面１２１と第２フレキシブル表示画面１２２との間の角度が徐々に増加し角度プリセット値９０°を超えると、制御ユニットは、比較結果に応じて第２フレキシブル表示画面１２２の透明度を減少させ、第２フレキシブル表示画面１２２によって表示される画像を反転画像から通常表示画像になるように制御する。
【００３５】
本発明おいて、透明度を増加させることは、フレキシブル表示画面１２が不透明から透明に徐々に変化することを示し、透明度を減少させることは、フレキシブル表示画面１２が透明から不透明に徐々に変化することを示す。
【００３６】
本発明において、通常表示画像は、展開状態にあるフレキシブル表示画面１２によって表示される画像であり、反転画像は、通常表示画像を反転させた画像である。
【００３７】
フレキシブル表示画面１２は、ポリマー分散液晶（ＰＤＬＣ）層を含んでもよく、ＰＤＬＣ層は、それに加えられる電気信号の変化によってその透明度を変化させてもよい。本実施形態では、ＰＤＬＣ層の透明度を制御することによって、制御ユニットは、フレキシブル表示画面１２から出力される画像がフレキシブル表示画面１２の他の表面を介して認識されないように、又はフレキシブル表示画面１２の他の表面を介して認識されるように制御することができる。
【００３８】
具体的には、フレキシブル表示画面１２の第１フレキシブル表示画面１２１と第２フレキシブル表示画面１２２との間の角度が角度プリセット値に達すると、フレキシブル表示画面１２は、フレキシブル表示画面１２の透明度を制御するようにＰＤＬＣ層に特定の電圧を印加する。
【００３９】
透明度に基づいて、制御ユニットは、第２フレキシブル表示画面１２２の裏面に設けられるタッチ感知層を活性化する。例えば、第２フレキシブル表示画面１２２の透明度が１０％より大きい場合、制御ユニットは、タッチ感知層がユーザーからのタッチ入力を受信するように、第２フレキシブル表示画面１２２の裏面上のタッチ感知層を起動してもよい。すなわち、第１フレキシブル表示画面１２１と第２フレキシブル表示画面１２２との間の角度が徐々に減少して角度プリセット値に減少すると、制御ユニットは、第２フレキシブル表示画面１２２の裏面上のタッチ感知層を起動する。第１フレキシブル表示画面１２１と第２フレキシブル表示画面１２２との間の角度が徐々に増加して角度プリセット値を超えると、制御ユニットは、第２フレキシブル表示画面１２２の裏面上のタッチ感知層を非起動状態に維持する。従って、フレキシブル表示画面１２が展開状態にある場合、フレキシブル表示画面１２は、その裏面からユーザーのタッチ入力を受信することを妨げられる。
【００４０】
本実施形態では、フレキシブル表示画面１２の前面にもタッチ感知層が設けられる。フレキシブル表示画面１２の前面に設けられたタッチ感知層は、展開状態にあるフレキシブル表示画面１２のためのユーザー入力ユニットとして使用される。フレキシブル表示画面１２の裏面に設けられたタッチ感知層は、折り畳み状態にあるフレキシブル表示画面１２のためのユーザー入力ユニットとして使用される。
【００４１】
制御ユニットは、タッチ感知層に入力された特定のジェスチャに応じて、フレキシブル表示画面１２を起動するように構成される。具体的なジェスチャは、ショート（又はタップ）タッチ、ロングタッチ、マルチタッチ、ドラッグタッチ、フリックタッチ、ピンチタッチ、ピンチ・リリースタッチ、ブラシタッチ、ホバータッチなどを含み得る。
【００４２】
制御ユニットはさらに、ハード表示画面１１及びフレキシブル表示画面１２に対するプリセット機能を設定するように構成される。例えば、ハード表示画面１１は、一般的に使用される操作キー（例えば、ナビゲーションキー、数字キー、文字キーなど）を表示したり、音楽プレーヤーの表示、電話への応答、時間、テキストメッセージ、天気、及びカレンダーの閲覧など、大画面表示を必要としない機能のページを表示したりするように設定される。本発明において大画面表示を必要としない機能とは、機能が大画面を必要としない、すなわち、画面サイズの変化がユーザー体験に大きな影響を与えないことを意味する。フレキシブル表示画面１２は、写真、ビデオ、リーダーなどを表示するなどの、大画面ディスプレイを必要とする機能のページを表示するように設定される。すなわち、画面サイズの変化は、ユーザー体験、及びユーザーが後でインストールしたアプリケーション、例えば、ＷｅＣｈａｔや、様々な種類のビデオプレーヤーなどに大きな影響を与える可能性がある。この設定により、ハード表示画面１１とフレキシブル表示画面１２とを特定の機能に分割することができ、ユーザーが携帯端末を操作する際にハード表示画面１１の表示内容を変更する必要がなくなる。それにより、携帯端末の実行速度及びユーザー体験が向上する。
【００４３】
本発明の幾つかの実施形態では、ハード表示画面１１及びフレキシブル表示画面１２のプリセット機能はそれに限定されない。例えば、フレキシブル表示画面１２及びハード表示画面１１は以下のように設定されてもよい。ハード表示画面１１上で特定のアプリケーションが操作されると、そのアプリケーションに対応するインターフェース又は画像がフレキシブル表示画面１２に表示される。あるいは、ハード表示画面１１上で特定のアプリケーションが操作されると、携帯端末のデスクトップ写真がフレキシブル表示画面１２に表示される（図６を参照）。
【００４４】
感知ユニットは、重力感知ユニットを含むようにさらに構成される。重力感知ユニットはジャイロスコープを含んでもよいが、本発明はこれに限定されない。重力感知ユニットは、制御ユニットが表示画面１０の方向に応じて、表示画像の方向を調整することができるように、表示画面１０の方向を感知するために使用される。例えば、重力感知ユニットはハード表示画面１１が横置きであることを感知すると、制御ユニットは、重力感知ユニットの信号に応じてハード表示画面１１の表示画像を横方向に表示するように調整する。重力感知ユニットはハード表示画面１１が縦置きであることを感知すると、制御ユニットは、重力感知ユニットの信号に応じてハード表示画面１１の表示画像を縦方向に表示するように調整する。フレキシブル表示画面１２が画像も表示する場合、制御ユニットはまた、画像を横方向又は縦方向に表示するようにハード表示画面１１を制御しながら、画像を横方向又は縦方向に表示するようにフレキシブル表示画面１２を制御する。
【００４５】
図３は、画像を表示する図１の携帯端末の第１実施形態の模式図を示す。図３は、携帯電話が待機モードにある場合、ユーザーがハード表示画面１１を起動することを示す。このとき、携帯端末のユーザー入力ユニットは、ユーザーの入力によってハード表示画面１１の起動信号を生成して制御ユニットに伝送する。同時に、重力感知ユニットは、ハード表示画面１１が横置きであることを感知し、対応する信号を制御ユニットに伝送する。制御ユニットは、ハード表示画面１１の起動信号及び重力感知ユニットの信号に応じて、プリセット情報を横方向に表示するようにハード表示画面１１を制御する。本実施形態では、起動信号は、電源キー、ナビゲーションキー、通話キーなどの携帯端末の本体上の物理的キーを押すことによって生成されてもよい。ハード表示画面１１に表示されるプリセット情報は時間情報である。ハード表示画面１１に表示されるプリセット情報は、天気情報、携帯端末のメイン画面情報などであってもよいことが理解される。本実施形態では、制御ユニットはフレキシブル表示画面１２の起動情報を受信しないので、フレキシブル表示画面１２は起動されない。
【００４６】
図４は、画像を表示する図１の携帯端末の第２実施形態の模式図を示す。図４は、携帯電話が待機モードにある場合、ハード表示画面１１が外部通話によって起動されることを示す。このとき、携帯端末の移動通信ユニットは、外部通話を受信することによってハード表示画面１１の起動信号を生成して制御ユニットに伝送する。同時に、重力感知ユニットは、ハード表示画面１１が横置きであることを感知し、対応する信号を制御ユニットに伝送する。制御ユニットは、ハード表示画面１１の起動信号及び重力感知ユニットの信号に応じて、着信情報を横方向に表示するようにハード表示画面１１を制御する。本実施形態では、制御ユニットはフレキシブル表示画面１２の起動情報を受信しないので、フレキシブル表示画面１２は起動されない。
【００４７】
図５は、画像を表示する図１の携帯端末の第３実施形態の模式図を示す。図５は、ハード表示画面１１を用いて音楽プレーヤーを操作する模式図を示す。制御ユニットが図３の実施形態に従ってハード表示画面１１を起動し、リセット情報を横方向に表示するようにハード表示画面１１を制御すると、ユーザーが音楽プレーヤーを操作するなど他の操作を行うためにハード表示画面１１も必要とする場合、音楽プレーヤーは、ユーザー入力に応じて対応する操作信号を生成して、操作信号を制御ユニットに伝送する。制御ユニットは、操作信号に応じて、対応する写真を表示するようにハード表示画面１１を制御する。このプロセスでは、制御ユニットはフレキシブル表示画面１２の起動情報を受信しないので、フレキシブル表示画面１２は起動されない。
【００４８】
図６は、画像を表示する図１の携帯端末の第４実施形態の模式図を示す。図６は、ハード表示画面１１及びフレキシブル表示画面１２の両方が画像を表示する模式図を示す。制御ユニットがユーザーのキー入力に応じてハード表示画面１１を起動すると、制御ユニットは、ハード表示画面１１の起動信号及び重力感知ユニットの信号に応じて、プリセット情報を横方向に表示するようにハード表示画面１１を制御する。本実施形態では、ハード表示画面１１に表示されるプリセット情報は、携帯端末のメイン画面情報である。そして、ユーザーが音楽プレーヤーを操作するようにハード表示画面１１を使用することを必要とする場合、制御ユニットは、音楽プレーヤーから発せられた信号に応じて、携帯端末のメイン画面に音楽プレーヤーの対応するページをさらに表示する。このとき、ユーザーがさらにフレキシブル表示画面１２において対応する起動操作を行うと、フレキシブル表示画面１２は、起動操作に応じて起動信号を生成する。制御ユニットはさらに、フレキシブル表示画面１２の起動信号に応じてフレキシブル表示画面１２を起動し、変形感知ユニットから伝送された信号に応じてフレキシブル表示画面１２の状態を判定し、それにより、フレキシブル表示画面１２の状態に応じてプリセット写真を表示するようにフレキシブル表示画面１２を制御する。本実施形態では、フレキシブル表示画面１２は完全折り畳み状態にあり、制御ユニットは、変形感知ユニットからの信号に基づいてフレキシブル表示画面１２が完全折り畳み状態にあると判断した後、フレキシブル表示画面１２のプリセット写真を反転表示するように第２フレキシブルディスプレイ１２２を制御しながら、完全透明状態にあるように第２フレキシブル表示画面１２２を制御する。本実施形態では、フレキシブル表示画面１２のプリセット写真は携帯端末のデスクトップ写真であり、携帯端末のデスクトップ情報は、アプリケーションアイコンに加えて現在時刻を含む。当然のことながら、フレキシブル表示画面１２のプリセット写真はこれに限定されない。他の実施形態では、必ずしもフレキシブル表示画面１２にプリセット写真を表示する必要がなく、歌曲の歌詞、アーティスト及び他の関連情報などのハード表示画面１１に表示される写真に対応する写真は、フレキシブル表示画面１２に表示されてもよい。
【００４９】
本実施形態では、フレキシブル表示画面１２は完全折り畳み状態にあるので、携帯端末の表示画面１０全体は、ハード表示画面１１が横置きされた後に大型携帯端末の表示画面１０に全体的に表れて、ユーザーの視聴体験が向上する。
【００５０】
図７は、画像を表示する図１の携帯端末の第５実施形態の模式図を示す。図７に示す実施形態では、携帯端末の配置状態及び使用状態は、図６に示す実施形態と同様である。すなわち、ハード表示画面１１は横置きされ、フレキシブル表示画面１２は完全折り畳み状態にあり、ハード表示画面１１及びフレキシブル表示画面１２の両方は起動された状態にある。ハード表示画面１１及びフレキシブル表示画面１２が起動されると、ユーザーはハード表示画面１１にＷｅＣｈａｔを操作し続ける。このとき、制御ユニットは、ＷｅＣｈａｔから発せられた信号と、ハード表示画面１１及びフレキシブル表示画面１２の状態とに基づいて、対応する画像を横方向に表示するようにフレキシブル表示画面１２のハード表示画面１１及び第２フレキシブルディスプレイ１２２を制御する。フレキシブル表示画面１２の第２フレキシブル表示画面１２２に表示される画像は反転画像である。システムのプリセットによれば、この場合、ハード表示画面１１は、情報入力ウインドウ及び入力キーボードを含むＷｅＣｈａｔの入力インターフェースを表示するために使用され、フレキシブル表示画面１２は、ＷｅＣｈａｔのチャットインターフェースを表示するために使用される。この表示方法によって、ＷｅＣｈａｔの入力インターフェース及びチャットインターフェースの面積が増大し、ユーザー入力がより便利になり、ユーザーの視聴体験が向上する。
【００５１】
画像を表示する本発明の第１実施形態の携帯端末の幾つかの実施形態を上に列挙したが、携帯端末の表示方法はそれに限定されない。例えば、より多くの内容を表示したい場合、又は表示面積をさらに増大させたい場合、フレキシブル表示画面１２を展開しフレキシブル表示画面１２全体を全体として、フレキシブル表示画面１２の前面に画像を表示することができる。例えば、フレキシブル表示画面１２全体の前面に、写真、ビデオ再生インターフェース、及びリーダーの閲覧インターフェースが表示されてもよく、その結果、表示画面がさらに展開されて、フレキシブル表示画面１２のサイズが６．９インチに拡大される。それにより、表示効果がさらに向上し、ユーザーの視聴体験が向上する。
【００５２】
本発明の他の実施形態では、ハード表示画面１１及びフレキシブル表示画面１２の表示内容は、互いに独立して設定されてもよい。例えば、ハード表示画面１１は、天気、時間、ＳＭＳ、ＷｅＣｈａｔ、ニュースなどを表示するために使用され、フレキシブル表示画面１２は、ビデオ再生インターフェース、音楽プレーヤーインターフェースなどを表示するために使用される。このように、ハード表示画面１１とフレキシブル表示画面１２の内容を互いに影響させることなく表示することができるので、ユーザーは、ニュースを閲覧したり、メッセージに返信したり、天気、時間、社会情報などを閲覧したりするようにハード表示画面１１を使用しながら、映画を鑑賞したり音楽を聴いたりするようにフレキシブル表示画面１２を使用することができる。
【００５３】
＜第２実施形態＞
図８は、本発明の第２実施形態に係る携帯端末の模式的構造図である。第２実施形態では、携帯端末はまた、本体と、制御ユニットと、感知ユニットとを含む。第２実施形態では、携帯端末の感知ユニット及び制御ユニットの制御ロジックの大部分は、基本的に第１実施形態のものと同じであり、ここでは詳細な説明は省略する。第２実施形態の携帯端末は、制御ユニットの制御ロジックの一部、並びに本体、ハード表示画面１１及びフレキシブル表示画面１２のサイズで、第１実施形態の携帯端末と異なる。
【００５４】
図８に示すように、第２実施形態では、第１フレキシブル表示画面１２１と第２フレキシブル表示画面１２２の長さは等しくなく、第２フレキシブル表示画面１２２の長さは、第１フレキシブル表示画面１２１の長さとハード表示画面１１の長さとの合計に等しい。本実施形態では、表示画面１０の幅も７４ｍｍであることが好ましく、長さも２１０ｍｍであることが好ましい。しかしながら、フレキシブル表示画面１２の全長は１３０ｍｍであることが好ましく、第１折り線１２３と第２フレキシブル表示画面１２２の自由端との間の距離は１０５ｍｍであることが好ましい。すなわち、第１フレキシブル表示画面１２１の長さは２５ｍｍであり、第２フレキシブル表示画面１２２の長さは１０５ｍｍである。フレキシブル表示画面１２が第１折り線１２３に沿って折り畳まれると、フレキシブル表示画面１２の第２フレキシブル表示画面１２２はハード表示画面１１を覆う。このように、フレキシブル表示画面１２が完全に折り畳まれると、本実施形態の携帯端末の外形は通常の携帯端末と変わらず、表示画面１０のサイズは約５インチである。
【００５５】
第２実施形態では、制御ユニットは、フレキシブル表示画面１２が完全折り畳み状態にあり且つ携帯端末が待機モードにある場合、フレキシブル表示画面１２の第２フレキシブル表示画面１２２を不透明状態に制御するように構成されてもよい。このように、第２フレキシブル表示画面１２２は、  携帯端末が待機モードにある場合、携帯端末のためのカバーとして機能することができる。携帯端末が外部入力によって起動されると、ハード表示画面１１はオフスクリーン状態にあり、制御ユニットは、まず、変形感知ユニットの信号に基づいて第２フレキシブル表示画面１２２を完全に透明に制御し、第２フレキシブル表示画面１２２のプリセット画像を反転表示するように第２フレキシブル表示画面１２２を制御する。
【００５６】
制御ユニットは、フレキシブル表示画面１２が完全折り畳み状態にあり且つ携帯端末が待機モードにある場合、フレキシブル表示画面１２の第２フレキシブル表示画面１２２を完全透明状態に制御するように構成されてもよい。携帯端末が外部入力によって起動されると、ハード表示画面１１はオフスクリーン状態にあり、制御ユニットは、まず、第２フレキシブル表示画面１２２を起動し、変形感知ユニットの信号に応じて第２フレキシブル表示画面１２２のプリセット画像を反転表示するように第２フレキシブル表示画面１２２を制御する。
【００５７】
より多くの内容を表示したい場合、又は表示面積をさらに増大させたい場合、フレキシブル表示画面１２を展開しフレキシブル表示画面１２全体を全体として、フレキシブル表示画面１２の前面に画像を表示することができる。例えば、写真、ビデオ再生インターフェース、及びリーダーの閲覧インターフェースは、フレキシブル表示画面１２全体の前面に表示されてもよい。このように、表示画面がさらに展開される。フレキシブル表示画面１２のサイズは約６インチであり、ハード表示画面１１のサイズは約４インチである。ハード表示画面１１は、ナビゲーションキー、数字キー、文字キーパッドなどの幾つかの頻繁に使用されるキーを表示するように構成される。フレキシブル表示画面１２は、主要内容、すなわち、ユーザーが情報を閲覧又は取得するための最も望んでいる表示画像を表示するように構成される。このように、ハード表示画面１１とフレキシブル表示画面１２とを特定の機能に分割することによって、ユーザーは、携帯端末を操作する際にハード表示画面１１の表示内容を変更する必要がなくなる。それにより、携帯端末の実行速度及びユーザー体験が向上する。
【００５８】
本発明の他の実施形態では、ハード表示画面１１及びフレキシブル表示画面１２の表示内容は、他の機能区分を有してもよい。詳細については、携帯端末の第１実施形態を参照されたい。また、ここでは詳細な説明は省略する。
【００５９】
＜第３実施形態＞
図９は、本発明の第３実施形態に係る携帯端末の模式的構造図である。第３実施形態では、携帯端末はまた、本体と、制御ユニットと、感知ユニットとを含む。携帯端末の本体の全面にも表示画面１０が設けられる。表示画面１０はまた、本体に接続されたハード表示画面１１と、ハード表示画面１１に接続されたフレキシブル表示画面１２とを含む。フレキシブル表示画面１２はまた、ハード表示画面１１に接続された第１フレキシブル表示画面１２１と、第１フレキシブル表示画面１２１に接続された第２フレキシブル表示画面１２２とを含む。第１フレキシブル表示画面１２１と第２フレキシブル表示画面１２２との間には第１折り線１２３が形成される。
【００６０】
さらに、図９に示すように、第１フレキシブル表示画面１２１は、ハード表示画面１１に接続された第１サブ画面１２１ａと、第１サブ画面１２１ａ及び第２フレキシブル表示画面１２２に接続された第２サブ画面１２１ｂとを含む。第１サブ画面１２１ａと第２サブ画面１２１ｂとの間には第２折り線１２４が形成される。第１フレキシブル表示画面１２１は、第２折り線１２４に沿って折り畳み可能である。第１フレキシブル表示画面１２１と第２フレキシブル表示画面１２２との長さは等しい。第２フレキシブル表示画面１２２と第２サブ画面１２１ｂとの長さの合計は、第１サブ画面１２１ａとハード表示画面１１との長さの合計に等しい。
【００６１】
本実施形態では、表示画面１０の幅は７４ｍｍであることが好ましく、長さは２１０ｍｍであることが好ましい。フレキシブル表示画面１２の全長は１３０ｍｍであることが好ましく、第１折り線１２３と第２フレキシブル表示画面１２２の自由端との間の距離は６５ｍｍであることが好ましく、第２折り線１２４と第２フレキシブル表示画面１２２の自由端との間の距離は１０５ｍｍであることが好ましい。すなわち、ハード表示画面１１の長さは８０ｍｍであり、第１サブ画面１２１ａの長さは２５ｍｍであり、第２サブ画面１２１ｂの長さは５０ｍｍであり、第２フレキシブル表示画面１２２の長さは６５ｍｍである。
【００６２】
フレキシブル表示画面１２が第２折り線１２４に沿って折り畳まれると、フレキシブル表示画面１２の第２フレキシブル表示画面１２２及び第１フレキシブル表示画面１２１の第２サブ画面１２１ｂは、ハード表示画面１１及び第１フレキシブル表示画面１２１の第１サブ画面１２１ａを覆う。本実施形態の携帯端末の外形は、フレキシブル表示画面１２が第２折り線１２４に沿って折り畳まれたとき、通常の携帯端末と変わらない。
【００６３】
第３実施形態では、制御ユニットはさらに、第２折り線１２４の周りに設けられた変形感知ユニットによって、第１サブ画面１２１ａと第２サブ画面１２１ｂとの間の角度変化を感知し、角度変化に応じて第１フレキシブル表示画面１２１の透明度を変化させるようにＰＤＬＣ層を制御するように構成される。例えば、第１サブ画面１２１ａと第２サブ画面１２１ｂとの間の角度が徐々に減少して角度プリセット値９０°に減少すると、制御ユニットは、第２サブ画面１２１ｂの透明度の増加を開始するようにＰＤＬＣ層を制御する。例えば、第１サブ画面１２１ａと第２サブ画面１２１ｂとの間の角度が９０°である場合、第２サブ画面１２１ｂの透明度は１０％に増加する。第１サブ画面１２１ａと第２サブ画面１２１ｂとの間の角度が徐々に増加して角度プリセット値９０°よりも大きくなると、制御ユニットは、第２サブ画面１２１ｂの透明度を減少させるようにＰＤＬＣ層を制御する。第２折り線１２４の角度プリセット値は、第１折り線１２３の角度プリセット値と等しくても等しくなくてもよい。本実施形態では、第２折り線１２４の角度プリセット値は、第１折り線１２３の角度プリセット値に等しい。
【００６４】
制御ユニットはさらに、第２折り線１２４の周りに設けられた変形感知ユニットによって感知される第１サブ画面１２１ａと第２サブ画面１２１ｂとの間の角度変化に応じて、第１フレキシブル表示画面１２１に表示される画像の表示状態を制御するように構成される。例えば、第１サブ画面１２１ａと第２サブ画面１２１ｂとの間の角度が徐々に減少して角度プリセット値９０°に減少すると、制御ユニットは、画像を反転表示するように第２サブ画面１２１ｂを制御する。第１サブ画面１２１ａと第２サブ画面１２１ｂとの間の角度が徐々に増加して角度プリセット値９０°よりも大きくなると、制御ユニットは、第２サブ画面１２１ｂによって表示される画像を反転画像から通常表示画像になるように制御する。
【００６５】
制御ユニットはさらに、第１フレキシブル表示画面１２１の透明度に基づいて、第１フレキシブル表示画面１２１の裏面に設けられたタッチ感知層を起動するように構成される。例えば、第２サブ画面１２１ｂの透明度が１０％より大きい場合、制御ユニットは、タッチ感知層がユーザーのタッチ入力を受信できるように、第２サブ画面１２１ｂの裏面上のタッチ感知層を起動してもよい。すなわち、第１サブ画面１２１ａと第２サブ画面１２１ｂとの間の角度が徐々に減少して角度プリセット値に減少すると、制御ユニットは、第２サブ画面１２１ｂの裏面上のタッチ感知層を起動する。第１サブ画面１２１ａと第２サブ画面１２１ｂとの間の角度が徐々に増加して角度プリセット値を超えると、制御ユニットは、第２サブ画面１２１ｂの裏面上のタッチ感知層を非起動状態に維持する。このように、サブ画面が展開状態にある場合、サブ画面の裏面からユーザーのタッチ入力を受信することを妨げられる。
【００６６】
携帯端末の第３実施形態では、制御ユニットは、フレキシブル表示画面１２が第２折り線１２４に沿って折り畳まれて完全折り畳み状態になり、且つ携帯端末が待機モードにある場合、第２フレキシブル表示画面１２２及び第２サブ画面１２１ｂを不透明状態に制御するように構成されてもよい。携帯端末が外部入力によって起動されると、ハード表示画面１１及び第１サブ画面１２１ａはオフスクリーン状態にあり、制御ユニットは、まず、変形感知ユニットの信号に基づいて第２フレキシブル表示画面１２２及び第２サブ画面１２１ｂを完全透明状態となるように制御しており、プリセット画像を反転表示するように第２フレキシブルディスプレイ１２２及び第２サブ画面１２１ｂを制御する。この状態で、第２フレキシブル表示画面１２２及び第２サブ画面１２１ｂは全体として画像表示に用いられる。
【００６７】
携帯端末の第３実施形態では、制御ユニットは、フレキシブル表示画面１２が第２折り線１２４に沿って折り畳まれて完全折り畳み状態になり、且つ携帯端末が待機モードにある場合、第２フレキシブル表示画面１２２及び第２サブ画面１２１ｂを完全透明状態に制御するように構成されてもよい。携帯端末が外部入力によって起動されると、ハード表示画面１１及び第１サブ画面１２１ａはオフスクリーン状態にあり、制御ユニットは、まず、第２フレキシブル表示画面１２２及び第２サブ画面１２１ｂを起動し、プリセット画像を反転表示するように第２フレキシブル表示画面１２２及び第２サブ画面１２１ｂを制御する。この状態で、第２フレキシブル表示画面１２２及び第２サブ画面１２１ｂは全体として画像表示に用いられる。
【００６８】
携帯端末の第３実施形態では、フレキシブル表示画面１２が第１折り線１２３に沿った完全折り畳み状態にある場合、表示画面１０の表示ロジックは、携帯端末の第１実施形態のものと同じであり、ここでは詳細な説明は省略する。
【００６９】
携帯端末の第３実施形態では、第１フレキシブル表示画面１２１に第２折り線１２４を追加することによって、携帯端末の操作状態を増加させることができ、携帯端末の操作及び使用モードをより多様化することができ、携帯端末の収納もより便利になる。
【００７０】
なお、本実施形態では、第１サブ画面１２１ａの長さは２５ｍｍである。本発明の他の実施形態では、第１サブ画面１２１ａの長さは０であってもよい。第１サブ画面１２１ａの長さが０である場合、フレキシブル表示画面１２は、第２折り線１２４に沿って折り畳まれて、ハード表示画面１１を覆ってもよい。それにより、フレキシブル表示画面１２とハード表示画面１１との間の角度が角度プリセット値より小さい場合、制御ユニットは、フレキシブル表示画面１２全体の透明度を制御し、フレキシブル表示画面１２全体に表示される画像を反転表示するように制御することができる。
【００７１】
＜第４実施形態＞
図１０は、本発明の第４実施形態に係る携帯端末の模式的構造図である。第４実施形態における携帯端末は、第１〜第３実施形態の携帯端末のいずれか１つであってもよい。第４実施形態は、上記３つの携帯端末の本体に接合電源及びデータインターフェース１３が設けられている点で、上記３つの実施形態と異なる。
【００７２】
図１０に示すように、接合電源及びデータインターフェース１３は、第４実施形態の携帯端末の本体の対向する両側に設けられる。本実施形態では、接合電源及びデータインターフェース１３は、携帯端末の本体の上側と底側に設けられる。本体の底側とは、本体を縦置きにしたときのハード表示画面１１の下端、すなわち、通常の携帯電話の電源インターフェースが設けられている側を指す。
【００７３】
すなわち、本実施形態では、接合電源及びデータインターフェース１３は、本体の上側に設けられる第１接合電源及びデータインターフェース、並びに本体の底側に設けられる第２接合電源及びデータインターフェースを含む。第１接合電源及びデータインターフェース、並びに第２接合及びデータインターフェースは、携帯端末同士間でエネルギー及びデータ伝送を行うために互いに協働することができる。接合電源及びデータインターフェース１３は、エネルギーやデータ伝送に使用することができる１つのインターフェースに一体化することができ、又は、エネルギー伝送及びデータ伝送のためにそれぞれ２つのインターフェースに分割することができる。
【００７４】
第１接合電源及びデータインターフェース、並びに第２接合電源及びデータインターフェースを設定することによって、本発明の複数の携帯端末を共に接合してモジュラ端末装置を形成することができるので、複数の携帯端末の表示画面１０を一体化してより大きい表示画面１０を形成することができる。大画面ディスプレイ装置を必要とするアプリケーションに適するように、携帯端末間のエネルギー及びデータ共有が実現される。
【００７５】
複数の携帯端末の接合を容易にし、接合後に隣接する携帯端末間の隙間を最小にするために、第１接合電源及びデータインターフェースには、接合電源及びデータインターフェースに受け入れ又は接合電源及びデータインターフェースから延在することができる第１導電コンタクトが設けられてもよく、第２接合電源及びデータインターフェースには、第１導電コンタクトを押すことにより弾性的に変形可能な第２導電コンタクトが設けられてもよい。第１導電コンタクト及び第２導電コンタクトの具体的なインターフェース及び配置は、中国特許第ＣＮ２０１５１００５０１２３．０及びＣＮ２０１５１００７５０４７．９に開示されており、ここでは詳細な説明は省略する。
【００７６】
本発明の携帯端末は、接合後に隣接する携帯端末の画面のシームレス接合を実現し、それによって接合画面の表示効果を向上させるために、縁なし表示画面１０を採用することが好ましい。当然のことながら、１ｍｍ未満の枠幅を有する狭いベゼルディスプレイ１０が採用されてもよい。
【００７７】
本発明の複数の携帯端末が共に接合されてモジュラ端末装置を形成する例として、図１１は、第１実施形態の４つの携帯端末が共に接合された模式図を示し、図１２は、第２実施形態の４つの携帯端末が共に接合された模式図を示す。当然のことながら、共に接合される携帯端末の数はそれに限定されない。図１１及び１２において、本発明の４つの携帯電話がともに接合されると、それらをタブレットコンピュータとして使用することができる。ハード表示画面１１は、キーボードとして使用され、頻繁に使用されるショートカット及びアプリケーションアイコンの大部分はハード表示画面１１に表示され、それによってユーザーによって便利に操作され使用される。フレキシブル表示画面１２は、ユーザーが見たい主なコンテンツを表示する表示画面として使用することができる。本発明において、４つの携帯端末を特別な携帯端末の表示画面サイズで共に接合するため、表示画面のサイズはＡ４用紙と同じかそれに近く、表示効果及びフォントは実際の印刷物に近い。
【００７８】
要するに、本発明の携帯端末及びモジュラ端末装置において、表示画面は、使用時に使用要求に応じて展開することができ、使用しないときに折り畳むことができる。さらに、必要に応じて複数の携帯端末を共に接合してモジュラ端末装置を形成してもよい。従って、大画面サイズのニーズが満たされ、また携帯端末は持ち運びが容易である。
【００７９】
当業者はまた、本明細書に記載された主題が、本明細書に記載されたもの以外の他のコンピュータシステム構成上で、またはそれと共に実施され得ることを理解するであろう。他のコンピュータシステム構成は、マルチプロセッサシステム、マイクロプロセッサベース又はプログラム可能な家電製品、ミニコンピュータ、メインフレームコンピュータ、ハンドヘルドコンピュータ、パーソナルデジタルアシスタント、電子書籍リーダー、携帯電話装置、特別目的のハードウェア装置、ネットワークアプライアンスなどを含む。本明細書に記載の実施形態は、通信ネットワークを介してリンクされているリモート処理装置によってタスクが実行される分散コンピューティング環境でも実施され得る。分散コンピューティング環境では、プログラムモジュールは、ローカル及びリモートの両方のメモリストレージ装置に配置され得る。
【００８０】
インターネット及び／又は他のネットワークを介してアクセス可能な１つ以上のサービス（様々な種類のクラウドベースのコンピューティングやストレージなど）を分散セットのクライアントに提供するために、企業や公共部門組織などのエンティティによって設定されるネットワークは、プロバイダーネットワークと呼ばれることがある。そのようなプロバイダーネットワークは、プロバイダーネットワークによって提供されるインフラストラクチャー及びサービスを実装及び配布するために必要とされる、物理的及び／又は仮想化コンピュータサーバ、ストレージ装置、ネットワーキング機器などの集まりなどの様々なリソースプールをホストする多数のデータセンタを含み得る。いくつかの実施形態では、リソースは、仮想又は物理コンピューティングインスタンスやストレージインスタンスなどのインスタンスと呼ばれるユニットでクライアントに提供され得る。仮想コンピューティングインスタンスは、例えば、指定された計算能力（ＣＰＵの種類と数、主メモリサイズなどを指定することによって指定され得る）、及び指定されたソフトウェアスタック（例えば、順番にハイパーバイザの上で動作してもよい特定のバージョンのオペレーティングシステム）を有する１つ又は複数のサーバーを含み得る。
【００８１】
異なる実施形態においてプロバイダーネットワークのリソースを実装するために、汎用又は専用コンピュータサーバ、ストレージ装置、ネットワーク装置などを含む幾つかの異なるタイプのコンピューティング装置が単独で又は組み合わせて使用されてもよい。幾つかの実施形態では、例えば、ユーザーに管理者ログイン及びパスワードを与えることによって、クライアント又はユーザーにリソースインスタンスへの直接アクセスが提供されてもよい。他の実施形態では、プロバイダネットワークオペレータは、クライアントが指定されたクライアントアプリケーションの実行要件を指定し、そのアプリケーションに適した実行プラットフォーム（アプリケーションサーバーインスタンス、Ｊａｖａ（登録商標）仮想マシン（ＪＶＭ）、汎用又は専用オペレーティングシステム、Ｒｕｂｙ、Ｐｅｒｌ、Ｐｙｔｈｏｎ、Ｃ、Ｃ＋＋などの様々な解釈済み又はコンパイル済みプログラミング言語をサポートするプラットフォーム、又は高性能コンピューティングプラットフォーム）上のクライアントに代わってアプリケーションの実行をスケジュールすることを可能にし得る。これは、例えば、クライアントがインスタンス又は実行プラットフォームに直接アクセスすることを必要とせずに行うことができる。所与の実行プラットフォームは、幾つかの実装では１つ又は複数のリソースインスタンスを利用してもよい。他の実装では、複数の実行プラットフォームは、単一のリソースインスタンスにマッピングされてもよい。
【００８２】
少なくとも幾つかの実施形態では、表示画面１０の機能を実装するための技術を含む、本明細書に記載の１つ又は複数の技術の一部又は全部を実装するサーバー又はコンピューティング装置、携帯端末及びモジュラ端末装置は、１つ又は複数のコンピュータアクセス可能媒体を含むか、又はそれにアクセスするように構成された汎用コンピュータシステムを含んでもよい。図１３は、そのような汎用コンピューティング装置６００を示す。例示した実施形態では、１つ又は複数のプロセッサ６１０（本明細書では、「プロセッサ６１０」の単数形で、又は「プロセッサ６１０」の複数形で呼ぶことがある）コンピューティング装置６００は、バス６２０を介してシステムメモリ６３０に結合される。コンピューティング装置６００は、パーマネントストレージ６４０、入力／出力（Ｉ／Ｏ）インターフェース６５０、及びネットワークインターフェース６６０を更に含む。
【００８３】
様々な実施形態では、コンピューティング装置６００は、１つのプロセッサ６１０を含む単一プロセッサシステム、又は幾つかのプロセッサ６１０（例えば、２、４、８、又は他の適切な数）を含むマルチプロセッサシステムであってもよい。プロセッサ６１０は、命令を実行することができる任意の適切なプロセッサであってもよい。例えば、様々な実施形態では、プロセッサ６１０は、ｘ８６、ＰｏｗｅｒＰＣ、ＳＰＡＲＣ、ＭＩＰＳ  ＩＳＡ、又は任意の他の適切なＩＳＡなどの任意の様々な命令セットアーキテクチャ（ＩＳＡ）を実装する汎用又は組み込みプロセッサであってもよい。マルチプロセッサシステムでは、プロセッサ６１０のそれぞれは、必ずしもそうとは限らないが一般的に同じＩＳＡを実装してもよい。
【００８４】
システムメモリ６３０は、プロセッサ６１０によってアクセス可能な命令及びデータを格納するように構成されてもよい。様々な実施形態では、システムメモリ６３０は、スタティックランダムアクセスメモリ（ＳＲＡＭ）、シンクロナスダイナミックＲＡＭ（ＳＤＲＡＭ）、不揮発性／フラッシュ型メモリ、又は他の任意のタイプのメモリなどの任意の適切なメモリ技術を使用して実装されてもよい。
【００８５】
一実施形態では、Ｉ／Ｏインターフェース６５０は、プロセッサ６１０、システムメモリ６３０、或いはネットワークインターフェース６６０又は他の周辺インターフェースを含む装置内の任意の周辺装置の間のＩ／Ｏトラフィックを調整するように構成されてもよい。幾つかの実施形態では、Ｉ／Ｏインターフェース６５０は、ある構成要素（例えば、システムメモリ６３０）からのデータ信号を別の構成要素（例えば、プロセッサ６１０）による使用に適したフォーマットに変換するために必要なプロトコル、タイミング、又は他のデータ変換を実行してもよい。幾つかの実施形態では、Ｉ／Ｏインターフェース６５０は、例えば、周辺構成要素相互接続（ＰＣＩ）バス規格又はユニバーサルシリアルバス（ＵＳＢ）規格の変形など、様々なタイプの周辺バスを介して接続された装置のためのサポートを含んでもよい。幾つかの実施形態では、Ｉ／Ｏインターフェース６５０の機能は、例えば、ノースブリッジ及びサウスブリッジなどの２つ以上の別々の構成要素に分割されてもよい。また、幾つかの実施形態では、システムメモリ６３０へのインターフェースなどのＩ／Ｏインターフェース６５０の機能の一部又は全部は、プロセッサ６１０に直接組み込まれてもよい。
【００８６】
ネットワークインターフェース６６０は、コンピューティング装置６００と他の１つ又は複数のネットワークに接続された１つ又は複数の装置との間でデータが交換されることを可能にするように構成されてもよい。様々な実施形態では、ネットワークインターフェース６６０は、例えば、あるタイプのイーサネット(登録商標)ネットワークなどの任意の適切な有線又は無線の一般データネットワークを介した通信をサポートしてもよい。さらに、ネットワークインターフェース６６０は、アナログ音声ネットワーク又はデジタルファイバ通信ネットワークなどの遠距離通信／電話ネットワークを介して、ファイバチャネルＳＡＮなどのストレージエリアネットワークを介して、又は他の任意の適切な種類のネットワーク及び／又はプロトコルを介して通信をサポートしてもよい。
【００８７】
幾つかの実施形態では、システムメモリ６３０は、対応する方法及び機器の実施形態を実施するための上述のようなプログラム命令及びデータを記憶するように構成されたコンピュータアクセス可能媒体の一実施形態であってもよい。しかしながら、他の実施形態では、プログラム命令及び／又はデータは、異なる種類のコンピュータアクセス可能媒体で受信、送信又は記憶されてもよい。一般的に言えば、コンピュータアクセス可能媒体は、例えば、Ｉ／Ｏインターフェース６５０を介してコンピューティング装置６００に結合されたディスク又はＤＶＤ／ＣＤなどの磁気又は光媒体のような非一過性のストレージ媒体又はメモリ媒体を含んでもよい。非一過性のコンピュータアクセス可能ストレージ記憶媒体はまた、システムメモリ６３０又は別の種類のメモリとしてコンピューティング装置６００の幾つかの実施形態に含まれ得るＲＡＭ（例えば、ＳＤＲＡＭ、ＤＤＲ  ＳＤＲＡＭ、ＲＤＲＡＭ、ＳＲＡＭなど）、ＲＯＭなどのような任意の揮発性又は不揮発性媒体を含んでもよい。
【００８８】
さらに、コンピュータアクセス可能媒体は、ネットワークインターフェース６６０を介して実装され得るようなネットワーク及び／又は無線リンクなどの通信媒体を介して伝達される伝送媒体、または電気信号、電磁気信号もしくはデジタル信号などの信号を含んでもよい。複数のコンピューティング装置の一部又は全部は、様々な実施形態において説明した機能を実装するために使用され得る。例えば、様々な異なる装置及びサーバー上で実行されているソフトウェアコンポーネントは、機能を提供するために協働してもよい。幾つかの実施形態では、機能性の一部は、汎用コンピュータシステムを使用して実装されることに加えて、またはその代わりに、ストレージ装置、ネットワーク装置、又は専用コンピュータシステムを使用して実装されてもよい。本明細書で使用される「コンピューティング装置」という用語は、少なくとも全てのこれらの種類の装置を指し、これらの種類の装置に限定されない。
【００８９】
前のセクションで説明したプロセス、方法、及びアルゴリズムのそれぞれは、１つ又は複数のコンピュータ又はコンピュータプロセッサによって実行されるコードモジュールで実施され、それによって完全に又は部分的に自動化されてもよい。コードモジュールは、ハードドライブ、ソリッドステートメモリ、光ディスクなどの任意の種類の非一過性のコンピュータ可読媒体又はコンピュータストレージ装置に記憶されてもよい。プロセス及びアルゴリズムは、部分的又は全体的に特定用途向け回路で実施されてもよい。開示されたプロセス及びプロセスステップの結果は、持続的又はその他の方法で、例えば、揮発性又は不揮発性ストレージなどの任意の種類の非一過性のコンピュータストレージに記憶されてもよい。
【００９０】
上記の様々な特徴及びプロセスは、互いに独立して使用されてもよいし、又は様々な方法で組み合わせられてもよい。全ての可能な組み合わせ及びサブ組み合わせは、本開示の範囲内に入ることを意図している。さらに、幾つかの実装では、特定の方法又はプロセスブロックは省略されてもよい。本明細書に記載の方法及びプロセスはまた、特定の順序に限定されず、それに関連するブロック又は状態は、適切な他の順序で実行することができる。例えば、説明したブロック又は状態は、具体的に開示されたもの以外の順序で実行されてもよく、あるいは、複数のブロック又は状態は、単一のブロック又は状態に組み合わされてもよい。例示的なブロック又は状態は、連続して、並行して、又は他の何らかの方法で実行されてもよい。ブロック又は状態は、開示された例示的な実施形態に追加又は削除されてもよい。本明細書に記載の例示的なシステム及び構成要素は、説明したものとは異なるように構成されてもよい。例えば、開示された例示的な実施形態に要素を追加し、削除し、又は比較して再配置されてもよい。
【００９１】
なお、システム及び／又はモジュールの一部又は全部は、少なくとも部分的にファームウェア及び／又はハードウェアにおいてなど、他の方法で実装又は提供されてもよい。ファームウェア及び／又はハードウェアは、１つ又は複数の特定用途向け集積回路（ＡＳＩＣ）、標準集積回路、コントローラ（例えば、適切な命令を実行し、マイクロコントローラ及び／又は組み込みコントローラを含むことによって）、フィールドプログラマブルゲートアレイ（ＦＰＧＡ）、コンプレックスプログラマブルロジックデバイス（ＣＰＬＤ）などを含むが、これらに限定されない。モジュール、システム、及びデータ構造の幾つか又はすべては、ハードディスク、メモリ、ネットワーク、又は適切なドライブ又は適切な接続を介して読み取られる携帯媒体物品などのコンピュータ可読媒体に（例えば、ソフトウェア命令又は構造化データとして）記憶されてもよい。システム、モジュール、及びデータ構造はまた、生成されたデータ信号として（例えば、搬送波又は他のアナログ又はデジタル伝搬信号の一部として）、無線ベース及び有線／ケーブルベースの媒体を含む様々なコンピュータ可読伝送媒体上で送信されてもよく、様々な形態（例えば、単一又は多重化アナログ信号の一部として、或いは複数の個別のデジタルパケット又はフレームとして）を取ってもよい。そのようなコンピュータプログラム製品はまた、他の実施形態では他の形態を取ってもよい。したがって、本発明は他のコンピュータシステム構成を用いて実施されてもよい。
【００９２】
「することができる（ｃａｎ）」、「することができた（ｃｏｕｌｄ）」、「してもよい（ｍｉｇｈｔ）」、「してもよい（ｍａｙ）」、「例えば」などの本明細書で使用される条件付き言語は、別段の定めがない限り、又は使用中の文脈内で他に理解されていない限り、一般に特定の特徴、要素、及び／又はステップが、特定の実施形態に含まれるが、他の実施形態に含まれないことを伝えることを意図する。したがって、そのような条件付き言語は、一般に、特徴、要素、及び／又はステップが、１つ又は複数の実施形態に何らかの形で必要とされること、或いは１つ又は複数の実施形態が著者の入力又はプロンプトの有無にかかわらず、これらの特徴、要素、及び／又はステップが含まれるか否か、或いは任意の特定の実施形態において実行されるかを決定するためのロジックを必ずしも含むことを暗示することを意味しない。用語「備える（ｃｏｍｐｒｉｓｉｎｇ）」、「含む（ｉｎｃｌｕｄｉｎｇ）」、「有する（ｈａｖｉｎｇ）」などは同義語であり、包括的に、オープンエンド様式で使用され、追加の要素、特徴、行為、操作などを排除するものではない。また、「又は」という用語は、その包括的な意味で（そしてその排他的な意味ではない）使用されるので、例えばリストの要素をつなぐために使用される場合、「又は」という用語は、リスト内の要素の１つ、一部、又は全部を意味する。本発明を、現在最も実用的で好ましい実施形態であると現在考えられているものに関して説明してきたが、本発明は開示された実施形態に限定される必要がないことを理解されたい。逆に、全てのそのような修正及び類似の構造を包含するように最も広義の解釈に従う、従属請求項の趣旨及び範囲内に含まれる様々な修正及び類似の配置を含むことが意図される。
【図１】
2019535026.tif 000003
【図２】
2019535026.tif 000004
【図３】
2019535026.tif 000005
【図４】
2019535026.tif 000006
【図５】
2019535026.tif 000007
【図６】
2019535026.tif 000008
【図７】
2019535026.tif 000009
【図８】
2019535026.tif 000010
【図９】
2019535026.tif 000011
【図１０】
2019535026.tif 000012
【図１１】
2019535026.tif 000013
【図１２】
2019535026.tif 000014
【図１３】
2019535026.tif 000015
【手続補正書】
【提出日】令和1年9月6日(2019.9.6)
【手続補正１】
【補正対象書類名】特許請求の範囲
【補正対象項目名】全文
【補正方法】変更
【補正の内容】
【特許請求の範囲】
【請求項１】
表示画面であって、前記表示画面は、ハード表示画面と、前記ハード表示画面に接続されたフレキシブル表示画面とを含み、前記フレキシブル表示画面は、前記ハード表示画面に接続された第１フレキシブル表示画面と、前記第１フレキシブル表示画面に接続された第２フレキシブル表示画面とを含み、前記第１フレキシブル表示画面と前記第２フレキシブル表示画面との間には第１折り線が形成され、前記フレキシブル表示画面は第１折り線に沿って折り畳み可能であり、感知された前記第１フレキシブル表示画面と前記第２フレキシブル表示画面との間の角度変化に応じて、前記第２フレキシブル表示画面の透明度を変化させる、ことを特徴とする表示画面。
【請求項２】
前記第１フレキシブル表示画面の長さは、前記第２フレキシブル表示画面の長さに等しい、ことを特徴とする請求項１に記載の表示画面。
【請求項３】
前記表示画面は、７４ｍｍの幅及び２１０ｍｍの長さを有し、前記フレキシブル表示画面の全長は１６０ｍｍであり、前記第１折り線と前記第２フレキシブル表示画面の自由端との間の距離は８０ｍｍである、ことを特徴とする請求項１に記載の表示画面。
【請求項４】
前記第２フレキシブル表示画面の長さは、前記第１フレキシブル表示画面の長さと前記ハード表示画面の長さとの合計に等しい、ことを特徴とする請求項１に記載の表示画面。
【請求項５】
前記表示画面は、７４ｍｍの幅及び２１０ｍｍの長さを有し、前記フレキシブル表示画面の全長は１３０ｍｍであり、前記第１折り線と前記第２フレキシブル表示画面の自由端との間の距離は１０５ｍｍである、ことを特徴とする請求項１に記載の表示画面。
【請求項６】
前記第１フレキシブル表示画面は、前記ハード表示画面に接続された第１サブ画面と、前記第１サブ画面及び前記第２フレキシブル表示画面に接続された第２サブ画面とを含み、前記第１サブ画面と前記第２サブ画面との間には第２折り線が形成され、前記第１フレキシブル表示画面は第２折り線に沿って折り畳み可能である、ことを特徴とする請求項１に記載の表示画面。
【請求項７】
前記第１フレキシブル表示画面の長さは、前記第２フレキシブル表示画面の長さに等しく、前記第２フレキシブル表示画面の長さと前記第２サブ画面の長さとの合計は、前記第１サブ画面の長さと前記ハード表示画面の長さとの合計に等しい、ことを特徴とする請求項６に記載の表示画面。
【請求項８】
携帯端末であって、本体を含み、前記本体の前面には表示画面が設けられ、前記表示画面は、前記本体に接続されたハード表示画面と、前記ハード表示画面に接続されたフレキシブル表示画面とを含み、前記ハード表示画面は、前記本体の真上に位置し、前記フレキシブル表示画面は前記本体から突出し、前記フレキシブル表示画面は、前記ハード表示画面に接続された第１フレキシブル表示画面と、前記第１フレキシブル表示画面に接続された第２フレキシブル表示画面とを含み、前記第１フレキシブル表示画面と前記第２フレキシブル表示画面との間には第１折り線が形成され、前記フレキシブル表示画面は第１折り線に沿って折り畳み可能であり、感知された前記第１フレキシブル表示画面と前記第２フレキシブル表示画面との間の角度変化に応じて、前記第２フレキシブル表示画面の透明度を変化させる、ことを特徴とする携帯端末。
【請求項９】
前記携帯端末は、制御ユニットと感知ユニットとを更に含み、前記感知ユニットは、前記第１フレキシブル表示画面と前記第２フレキシブル表示画面との間の角度を感知するためのものであり、前記制御ユニットは、前記感知ユニットによって感知された前記第１フレキシブル表示画面と前記第２フレキシブル表示画面との間の角度変化に応じて、前記第２フレキシブル表示画面の透明度を変化させるためのものである、ことを特徴とする請求項８に記載の携帯端末。
【請求項１０】
前記フレキシブル表示画面は、ポリマー分散液晶層を含み、前記制御ユニットは、前記ポリマー分散液晶層に加えられる電気信号を制御することによって、前記フレキシブル表示画面の透明度を変化させる、ことを特徴とする請求項９に記載の携帯端末。
【請求項１１】
前記制御ユニットは、前記第１フレキシブル表示画面と前記第２フレキシブル表示画面との間の角度が角度プリセット値より小さい場合、反転画像を表示するように前記第２フレキシブル表示画面を制御するように構成される、ことを特徴とする請求項９に記載の携帯端末。
【請求項１２】
前記フレキシブル表示画面の前面及び裏面にはタッチ感知層が設けられ、前記制御ユニットは、前記フレキシブル表示画面の透明度に基づいて、前記フレキシブル表示画面の前記裏面のタッチ感知層を起動し、前記前面のタッチ感知層又は前記裏面のタッチ感知層に加えられたジェスチャ入力に基づいて前記フレキシブル表示画面を起動するように構成される、ことを特徴とする請求項９に記載の携帯端末。
【請求項１３】
前記制御ユニットは、頻繁に使用される操作キー及び大画面表示を必要としない機能のページを表示するように前記ハード表示画面を制御し、大画面表示を必要とする機能のページを表示するように前記フレキシブル表示画面を制御するように構成される、ことを特徴とする請求項９に記載の携帯端末。
【請求項１４】
前記第１フレキシブル表示画面の長さは、前記第２フレキシブル表示画面の長さに等しい、ことを特徴とする請求項８に記載の携帯端末。
【請求項１５】
前記第２フレキシブル表示画面の長さは、前記第１フレキシブル表示画面の長さと前記ハード表示画面の長さとの合計に等しい、ことを特徴とする請求項８に記載の携帯端末。
【請求項１６】
前記第１フレキシブル表示画面は、前記ハード表示画面に接続された第１サブ画面と、前記第１サブ画面及び前記第２フレキシブル表示画面に接続された第２サブ画面とを含み、前記第１サブ画面と前記第２サブ画面との間には第２折り線が形成され、前記第１フレキシブル表示画面は第２折り線に沿って折り畳み可能である、ことを特徴とする請求項９に記載の携帯端末。
【請求項１７】
前記第１フレキシブル表示画面の長さは、前記第２フレキシブル表示画面の長さに等しく、前記第２フレキシブル表示画面の長さと前記第２サブ画面の長さとの合計は、前記第１サブ画面の長さと前記ハード表示画面の長さとの合計に等しい、ことを特徴とする請求項１６に記載の携帯端末。
【請求項１８】
前記制御ユニットはさらに、前記第１サブ画面と前記第２サブ画面との間の角度変化に基づいて、前記第２サブ画面及び前記第２フレキシブル表示画面の透明度を制御するように構成される、ことを特徴とする請求項１７に記載の携帯端末。
【請求項１９】
前記携帯端末の側面の対向する面には、互いに協働することができる第１接合電源及びデータインターフェースと、第２接合電源及びデータインターフェースとがそれぞれ設けられる、ことを特徴とする請求項８に記載の携帯端末。
【請求項２０】
複数の携帯端末が共に接合されたモジュラ端末装置であって、前記携帯端末は、本体を含み、前記本体の前面には表示画面が設けられ、前記表示画面は、前記本体に接続されたハード表示画面と、前記ハード表示画面に接続されたフレキシブル表示画面とを含み、前記ハード表示画面は、前記本体の真上に位置し、前記フレキシブル表示画面は前記本体から突出し、前記フレキシブル表示画面は、前記ハード表示画面に接続された第１フレキシブル表示画面と、前記第１フレキシブル表示画面に接続された第２フレキシブル表示画面とを含み、前記第１フレキシブル表示画面と前記第２フレキシブル表示画面との間には第１折り線が形成され、前記フレキシブル表示画面は第１折り線に沿って折り畳み可能である、ことを特徴とするモジュラ端末装置。
【国際調査報告】
2019535026.tif 000016
2019535026.tif 000017